(57)【要約】【課題】  既設の窓枠と障子に対し適用可能で、簡単な構造で障子の開閉の際に障子の浮き上がりやがたつきを防止することができる窓構造を提供する。【解決手段】  ４辺の枠材からなる窓枠２と、該窓枠２内を摺動する障子１ａ，１ｂからなり、前記窓枠２の上辺の枠材２ａと前記障子１ａ，１ｂの上框の上面との間に空間部Ｓが形成される窓構造において、前記空間部Ｓに弾性を有する空間充填部材３が備わる。【選択図】        図１
2007162239.tif 000002
【特許請求の範囲】
【請求項１】
４辺の枠材からなる窓枠と、
該窓枠内を摺動する障子からなり、
前記窓枠の上辺の枠材と前記障子の上框の上面との間に空間部が形成される窓構造において、
前記空間部に弾性を有する空間充填部材が備わることを特徴とする窓構造。
【請求項２】
前記空間充填部材は、軟質の弾性部材と、これを挟持する硬質の上部材及び下部材からなることを特徴とする請求項１に記載の窓構造。
【請求項３】
前記空間充填部材は、前記障子の上框の上辺とほぼ同じ長さであることを特徴とする請求項１又は２に記載の窓構造。
【請求項４】
前記下部材は、両端部においてその下面と障子上框の上面との間に隙間が形成されたことを特徴とする請求項１〜３のいずれかに記載の窓構造。
【請求項５】
前記空間充填部材は、前記障子の上框の両端部のみに備わることを特徴とする請求項１に記載の窓構造。
【請求項６】
請求項１〜４のいずれかに記載の窓構造に用いる空間充填部材であって、
該空間充填部材は軟質の弾性部材と、これを挟持する硬質の上部材及び下部材からなり、
前記下部材は、両端部において下面から端面に向かってテーパ形状又は段差形状を有することを特徴とする窓構造の空間充填部材。
【発明の詳細な説明】
【技術分野】
【０００１】
本発明は、窓枠の上枠（窓枠４辺の枠材のうち上辺の枠材）と障子の間に空間が形成された窓構造及びその空間充填部材に関する。
【背景技術】
【０００２】
窓枠内の障子を引き違いに開閉する窓構造において、上枠と障子の上辺（上框）との間には障子を窓枠から取り外すために空間が形成される。この空間があることにより、障子の開閉の際に、障子の下辺（下框）の一方の端部が浮き上がり、障子が傾いてしまうことがある。特に、縦長サイズの障子（横辺に対して縦辺の長さが３倍以上）の場合、障子の下辺の一方の端部から障子の重心からの垂線までの距離が短いため、障子の開閉の際に障子の下辺の一方の端部が浮き上がって障子が傾いたときに障子のふらつきが大きくなり、障子が不安定になって、傾いたり、がたつきが生じて円滑に摺動しなくなる。
【０００３】
引戸障子の外れ止め装置が特許文献１に記載されている。この外れ止め装置は、上枠の下面に装着された外れ止め片を回転させることにより、障子の浮き上がりを防止するものである。しかし、特許文献１の引戸障子の外れ止め装置は、障子を閉めた状態で引戸障子の窓枠からの外れを防止するものであり、障子の開閉の際の障子の浮き上がりを防止できるものではない。また、上枠に外れ止め片を予め形成する必要があり、窓枠の構造が複雑となり、製造の手間も要する。このため、専用の窓枠が必要となり、既設の窓枠と障子に対し適用することができない。
【０００４】
【特許文献１】特開２０００−３５２２５７号公報
【発明の開示】
【発明が解決しようとする課題】
【０００５】
本発明は、既設の窓枠と障子に対し適用可能で、簡単な構造で障子の開閉の際に障子の浮き上がりやがたつきを防止することができる窓構造の提供を目的とする。
【課題を解決するための手段】
【０００６】
前記目的を達成するため、請求項１の発明では、４辺の枠材からなる窓枠と、該窓枠内を摺動する障子からなり、前記窓枠の上辺の枠材と前記障子の上框の上面との間に空間部が形成される窓構造において、前記空間部に弾性を有する空間充填部材が備わることを特徴とする窓構造を提供する。
【０００７】
請求項２の発明では、請求項１の発明において、前記空間充填部材は、軟質の弾性部材と、これを挟持する硬質の上部材及び下部材からなること特徴としている。
【０００８】
請求項３の発明では、請求項１又は２の発明において、前記空間充填部材は、前記障子の上框の上辺とほぼ同じ長さであることを特徴としている。
【０００９】
請求項４の発明では、請求項１〜３のいずれかの発明において、前記下部材は、両端部において前記下部材の下面と障子上框の上面との間に隙間が形成されたことを特徴としている。
【００１０】
請求項５の発明では、請求項１の発明において、前記空間充填部材は、前記障子の上框の両端部のみに備わることを特徴としている。
【００１１】
請求項６の発明では、請求項１〜４のいずれかに記載の窓構造に用いる空間充填部材であって、該空間充填部材は軟質の弾性部材と、これを挟持する硬質の上部材及び下部材からなり、前記下部材は、両端部において下面から端面に向かってテーパ形状又は段差形状を有することを特徴とする窓構造の空間充填部材を提供する。
【発明の効果】
【００１２】
請求項１の発明によれば、上枠と障子の間の空間に弾性を有する空間充填部材が備わるため、障子上部の空間が弾性空間充填部材で充填され、障子の開閉の際に障子を弾性により押し付けて浮き上がることを防止できる。すなわち、障子が浮き上がろうとしても障子上部の空間充填部材により弾力的に押し戻されるため障子が浮き上がることはない。したがって、安定して円滑に障子を開閉できる。この空間充填部材は障子上辺の全長にわたって設けてもよいし、障子上辺の両端部にのみ設けてもよい。また、障子ではなく窓枠側に設けてもよい。
【００１３】
請求項２の発明によれば、空間充填部材が軟質の弾性部材と、これを挟持する硬質の上部材及び下部材で構成されるため、下部材を障子に対して固定保持して、上部材を上枠に対して滑動させることができる。したがって、開閉時の障子の移動に伴って空間充填部材も移動するため、常に障子上部の空間を空間充填部材で充填することができ、障子の浮き上がりを防止して障子を安定して円滑に開閉することができる。また、空間充填部材は弾性部材を有するため、この弾性部材を縮めて、既存の窓枠と障子からなるサッシの障子上部の空間に入れ込んだり、取り外したりできる。したがって、空間充填部材の障子への着脱が容易となる。
【００１４】
また、上部材の材質としては、摩擦係数の低いものがよい。また、上枠と上部材の接触面積を小さくして、障子開閉時の摩擦係数が小さくなるようにしてもよい。接触面積を小さくする手段としては、上部材の上面に点状の隆起部を複数個形成する手段や、上部材の上面に障子の開閉方向に平行な線状の隆起部を複数個形成する手段が好ましい。
【００１５】
請求項３の発明によれば、空間充填部材が障子の上辺とほぼ同じ長さであるため、障子上部の空間を確実に空間充填部材で充填することができ、障子開閉の際の障子の浮き上がりを防止できる。また、空間充填部材の上部材による滑動面積が大きいので、安定して障子を開閉できる。
【００１６】
請求項４の発明によれば、空間充填部材の下部材の両端部の下面と障子上面の間に隙間が形成されるため、障子上部に空間充填部材が嵌め込まれている場合において、この隙間に指や道具等を引掛けて、容易に障子から空間充填部材を取外すことができる。
【００１７】
請求項５の発明によれば、空間充填部材が障子の上框の両端部に備わるため、障子の開閉の際に障子の片側が浮き上がって不安定になることを防止できる。また、障子上框の両端部のみに空間充填部材を備えればいいので、障子が窓枠に嵌め込まれた状態で容易に取付けることができる。
【００１８】
請求項６の発明によれば、空間充填部材が軟質の弾性部材と、これを挟持する硬質の上部材及び下部材で構成されるため、弾性部材を縮めて空間充填部材を障子と窓枠の間の空間に入れ込むことができる。すなわち、既設の障子と窓枠からなるサッシに対し適用して障子上部の空間を充填し、障子開閉の際の障子の浮き上がりを防止することができる。また、下部材はテーパ形状又は段差形状を有するため、下部材両端部下面と障子上面との間に隙間が形成される。空間充填部材が障子に取付けられた状態で、隙間部分に指や道具等を引掛けて障子と窓枠の間の空間から空間充填部材を容易に取外すことができる。したがって、空間充填部材の脱着作業を容易に行うことができる。また、硬質の下部材を用いることにより、障子の上辺に形成される開口部に嵌め込む形状とすることができ、下部材を障子上辺に嵌め込んで確実に固定できる。また、硬質の上部材を用いることにより、窓枠の上枠に対し滑らかに滑動させることができ、障子の開閉動作が円滑に行われる。したがって、障子の浮き上がりを防止して障子の傾きやがたつきをなくし障子を安定して円滑に開閉することができる。
【発明を実施するための最良の形態】
【００１９】
図１は本発明に係る窓構造の一例を示す概略図である。図２は障子の上框の概略図であり、（Ａ）は上面図、（Ｂ）は（Ａ）のＢ−Ｂ断面図、（Ｃ）は（Ａ）のＣ−Ｃ断面図である。
【００２０】
本発明に係る窓構造は、複数枚（図では２枚）の障子１ａ、１ｂを嵌め込んだ窓枠２の上枠２ａと障子１ａ，１ｂの上框５ａとの間の空間Ｓ（高さＨ）に空間充填部材３が備わるものである（図では障子１ｂの上部のみ記載）。障子１ａ、１ｂはそれぞれガラス板４と、この４側周縁に形成される框５で構成される。窓枠２は図示しない建物外壁の開口部に取付けられる。障子上辺の上框５ａは、その上面に開口する凹部６，７を、両端部及び中央部ほぼ長手方向全長に沿って有している（図２）。
【００２１】
図３は本発明に係る空間充填部材の概略斜視図である。
図示したように、空間充填部材３は、軟質の弾性部材１０を硬質の上部材８と下部材９とで挟持して構成される。下部材９の両端部（図では一方の端部のみ記載）は、下部材９の下面から端面に向かって傾斜するテーパ部１１を有している。また、下部材９のテーパ部１１の根元部分はさらに垂直に下側に突出し、嵌め込み部１２を形成する。軟質の弾性部材１０としては、弾性を持つ部材ならよく、ウレタン発泡材、ブチル系の発泡材を用いることができる。硬質の上部材８及び下部材９としては、アルミニウム、ＰＶＣ（ポリビニルカーボネート）を用いることができる。このような弾性部材１０と上部材８及び下部材９とからなる空間充填部材３は、それぞれ別個に製造して弾性部材１０を両面テープ等により上部材８及び下部材９に取付けてもよいし、押出一体成形により製造してもよい。また、テーパ部１１に代えて段差形状としてもよい（図４（Ｃ）参照）。また、このテーパ部と障子の上框５ａの上面との間に隙間が形成される。上記材質は一例であり、これに限定されるものではない。
【００２２】
図４は本発明に係る窓構造の障子上部の概略図であり、（Ａ）は横断面図、（Ｂ）は縦断面図、（Ｃ）は別の実施例の断面図である。
図示したように、障子１ａ（１ｂ）と窓枠２の上枠２ａとの間の空間Ｓは上框５ａの長さ全体にわたって空間充填部材３で充填される。したがって、障子１ａの開閉の際に障子１ａが傾いて浮き上がることを防止でき、安定して障子１ａの開閉動作を行うことができる。障子１ａの上框５ａに形成された凹部６内に空間充填部材３の下部材９の嵌め込み部１２が差込まれて固定される。これにより、空間充填部材３は障子１ａの開閉時の移動に伴って移動するため、障子１ａが窓枠２内のどの位置にあっても障子１ａの浮き上がりを防止できる。上部材８は上述したように硬質部材からなるため、上枠２ａの下面に対し滑らかに滑動し、障子１ａの開閉動作に支障を与えることはない。上部材８は上框５ａの長さ全体にわたって上枠２ａの下面と接するため、滑動面積が大きく、安定して障子１ａを開閉することができる。また、空間充填部材３は上枠２ａ内に収まるため、外観上視認されることはなく、既設の窓枠２と障子１ａからなるサッシの外観を損なうことはない。
【００２３】
空間充填部材３を既設の窓枠２と障子１ａ（１ｂ）の間の空間Ｓに取付けるときは、上部材８と下部材９を互いの方向に押付けるようにして弾性部材１０を縮め、上框５ａの一方の端部側から空間Ｓに沿わせて差込んで取付ける。取外すときは、下部材９のテーパ部１１の下面に形成された隙間Ｇに指やドライバ等の道具を差込んで引掛け、上側に押圧し、弾性部材１０を縮めてテーパ部１１をつまんで引出して取り外す。このように、障子１ａが窓枠２に取付けられた状態で容易に空間充填部材３の脱着作業を行うことができる。
【００２４】
なお、上述した窓構造は窓枠２に障子１ａを摺動させるレールがない構造の窓構造を示したが、空間充填部材３を上框５ａとレールの下端との間に入れ込むことにより、障子１ａの浮き上がりを防止できるため、レールがあるサッシにも本発明の空間充填部材３は適用することができる。（Ｃ）は、テーパ部１１に代えて段差部１５を設けた例である。
【００２５】
図５は本発明に係る別の窓構造を示す概略図である。
図示したように、この窓構造では、空間充填部材３は上框５ａの両端部のみに形成される。このように、上框５ａの両端部の上側のみの空間を充填しても、障子１ａの開閉の際に障子１ａが浮き上がって傾くことを防止できる。このとき、空間充填部材３は面ファスナー１３により上框５ａの両端部に取付けられる。これにより、上框５ａの上部の両端部のみに空間充填部材３を取付けるだけの簡単な作業で障子１ａの開閉の際の浮き上がりを防止できる。なお、空間充填部材８の取付けは面ファスナー１３に限らず、上框５ａの開口部７に下部材９を係合させる構造としてもよいし、他の取付け方法を適宜使用することもできる。作用、効果は図４で示したものと同様である。
【００２６】
図６は本発明に係るさらに別の窓構造を示す概略図である。
この窓構造は、予め上枠２ａに空間充填部材３をネジ１４等により固定するものである。このような構造としても、障子１ａと上枠２ａとの間の空間Ｓを充填して障子１ａの開閉の際の浮き上がりを防止できる。この場合、空間充填部材３は上枠２ａに固定されるため、下部材９と上框５ａの上面が滑動して障子１ａが開閉する。なお、図では空間充填部材３に上部材８を図示していないが、上部材８を設けるか否かは適宜選択できる。その他の構成、作用、効果は図４で示したものと同様である。
【００２７】
図７は本発明に係る別の空間充填部材の（Ａ）は長手方向の側面図、（Ｂ）は（Ａ）のＢ−Ｂ断面図、（Ｃ）は（Ａ）のＣ−Ｃ断面図である。
上部材８、下部材９はアルミニウムの一体成形からなり、弾性部材１０はウレタン発泡材からなる。アルミニウムの上部材８の上面には、空間充填部材３の長さ方向（開閉方向に平行な方向）に沿った線状の隆起部１６が両側縁に計２列形成される。この隆起部１６は、上部材８の上面より突出しているため、窓枠２の上枠２ａ（図１参照）の下面と接する。このため、空間充填部材３と上枠２ａとの接触面積が上部材８の上面全面で接触することに比べて減少する。したがって、障子開閉時の摩擦係数が小さくなる。
【００２８】
下部材９の下面には障子１ａ，１ｂと係合する埋込部材１７が下部材９と一体成形される。この埋込部材１７は下部材９の下面から突出する断面略Ｌ字形状であり、下部材９の下面側辺に沿って形成される。この埋込部材１７の長手方向の長さＦは、障子の形状により変化するために調整可能である。この調整は、施工現場で行われる。また、埋込部材１７は下部材９の厚みより薄い厚さで形成される。これにより、施工現場で切断加工して容易に埋込部材１７の長さＦを調整することができる。下部材９を長尺の一体成形として成形すれば、製作コストを安くすることが可能である。
【００２９】
図８は本発明に係る別の窓構造の障子上部の横断面図である。
この窓構造は、上枠２ａからレール１８が下方に垂設され、上框５ａの長手方向全長に形成された溝部１９にレール１８が収まる構造の窓枠と障子に適用できるものである。このような構造の場合、（Ａ）に示すように、溝部１９に空間充填部材３を備え、上部材８はレール１８の下端と接する窓構造とする。また、（Ｂ）に示すように、上框５ａの長手方向左右上面に空間充填部材３を備え、上部材８を上枠２ａと接する窓構造としてもよい。いずれの構造においても、障子の開閉の際の障子の浮き上がりを防止でき、円滑な障子の摺動動作を行うことができる。その他の構成、作用、効果は図４で示したものと同様である。
【産業上の利用可能性】
【００３０】
本発明は、障子上部と窓枠との間に空間があるサッシに適用できる。
【図面の簡単な説明】
【００３１】
【図１】本発明に係る窓構造の一例を示す概略図。
【図２】障子の上框の概略図。
【図３】本発明に係る空間充填部材の概略斜視図。
【図４】本発明に係る窓構造の障子上部の概略図であり、（Ａ）は横断面図、（Ｂ）は縦断面図、（Ｃ）は別の実施例の断面図。
【図５】本発明に係る別の窓構造を示す概略図。
【図６】本発明に係るさらに別の窓構造を示す概略図。
【図７】本発明に係る別の空間充填部材の（Ａ）は長手方向の側面図、（Ｂ）は（Ａ）のＢ−Ｂ断面図、（Ｃ）は（Ａ）のＣ−Ｃ断面図。
【図８】本発明に係る別の窓構造の障子上部の横断面図。
【符号の説明】
【００３２】
１ａ、１ｂ：障子、２：窓枠、２ａ：上枠、３：空間充填部材、４：ガラス板、５：框、５ａ：上框、６：凹部、７：凹部、８：上部材、９：下部材、１０：弾性部材、１１：テーパ部、１２：嵌め込み部、１３：面ファスナー、１４：ネジ、１５：段差部、１６：隆起部、１７：埋込部材、１８：レール、１９：溝部
【図１】
2007162239.tif 000003
【図２】
2007162239.tif 000004
【図３】
2007162239.tif 000005
【図４】
2007162239.tif 000006
【図５】
2007162239.tif 000007
【図６】
2007162239.tif 000008
【図７】
2007162239.tif 000009
【図８】
2007162239.tif 000010